(57)【要約】【課題】ある画像出力装置によって出力する対象の画像を、電子ペーパーによってプレビューおよび確認を行った後、従来よりも容易に他の画像出力装置に出力させる。【解決手段】出力する予定である画像を、この画像を出力するジョブを実行する際の第一の条件に基づいて電子ペーパーに表示させる処理を、画像形成装置１Ａに実行させ、この第一の条件を、このジョブを識別するジョブ識別子と対応付けて条件記憶手段に記憶させる処理を、画像形成装置１Ａに実行させ、ジョブ識別子を電子ペーパーに記憶させる処理を、画像形成装置１Ａに実行させ、電子ペーパーに記憶されているジョブ識別子を読み出す処理を画像形成装置１Ｂに実行させ、読み出したジョブ識別子に対応する第一の条件に基づいてジョブの全部または一部の工程を画像形成装置１Ｂに実行させる。【選択図】図１
2011066855.tif 000002
【特許請求の範囲】
【請求項１】
第一の画像出力装置および第二の画像出力装置を有する画像出力システムであって、
前記第一の画像出力装置には、
出力する予定である画像を、当該画像を出力するジョブを実行する際の第一の条件に基づいて電子ペーパーに表示させる表示処理手段と、
前記第一の条件を、前記ジョブを識別するジョブ識別子と対応付けて条件記憶手段に記憶させる条件記憶処理手段と、
前記ジョブ識別子を前記電子ペーパーに記憶させるジョブ識別子記憶処理手段と、
が備わり、
前記第二の画像出力装置には、
前記電子ペーパーから前記ジョブ識別子を読み出すジョブ識別子読出手段と、
読み出された前記ジョブ識別子に対応する前記第一の条件を前記条件記憶手段から取得する条件取得手段と、
取得された前記第一の条件に基づいて前記ジョブの全部または一部の工程を実行するジョブ実行手段と、
が備わる、
ことを特徴とする画像出力システム。
【請求項２】
前記条件記憶手段は、前記第一の画像出力装置に設けられているストレージによって実現され、
前記条件記憶処理手段は、前記第一の条件を、前記第一の画像出力装置を識別する装置識別子と対応付けて前記条件記憶手段に記憶させ、
前記ジョブ識別子記憶処理手段は、前記ジョブ識別子を前記装置識別子とともに前記電子ペーパーに記憶させ、
前記ジョブ識別子読出手段は、前記ジョブ識別子を前記装置識別子とともに読み出し、
前記条件取得手段は、読み出された前記装置識別子に基づいて前記第一の画像出力装置に接続し、当該装置識別子とともに読み出された前記ジョブ識別子に対応する条件を要求し受信することによって、前記第一の条件を取得する、
請求項１記載の画像出力システム。
【請求項３】
前記条件記憶手段は、前記第一の画像出力装置および前記第二の画像出力装置と通信する機能を有するサーバまたは前記電子ペーパーに設けられている不揮発性メモリによって実現される、
請求項１記載の画像出力システム。
【請求項４】
前記第一の画像出力装置には、さらに、
第一の用紙から前記画像を読み取る画像読取手段と、
読み取られた前記画像の画像データを前記ジョブ識別子と対応付けて画像データ記憶手段に記憶させる画像データ記憶処理手段と、
読み取られた前記画像を前記第一の条件に基づいて印刷する第一の印刷手段と、
が備わり、
前記第二の画像出力装置には、さらに、
第二の印刷手段、
が備わり、
前記ジョブ実行手段は、前記ジョブが前記第一の用紙から前記画像を読み取って第二の用紙に複写するジョブである場合は、読み出された前記ジョブ識別子に対応付けられて前記画像データ記憶手段に記憶されている前記画像データを用いて、前記画像を前記第一の条件に基づいて印刷する処理を前記第二の印刷手段に実行させることによって、前記工程を実行する、
請求項１ないし請求項３のいずれかに記載の画像出力システム。
【請求項５】
前記第一の画像出力装置には、さらに、
第一の用紙から前記画像を読み取る画像読取手段と、
読み取られた前記画像の画像データを前記ジョブ識別子と対応付けて画像データ記憶手段に記憶させる画像データ記憶処理手段と、
前記画像データを前記第一の条件に基づいて送信する第一の送信手段と、
が備わり、
前記第二の画像出力装置には、さらに、
第二の送信手段、
が備わり、
前記ジョブ実行手段は、前記ジョブが前記第一の用紙に記される前記画像を、通信回線を介して提供するジョブである場合は、読み出された前記ジョブ識別子に対応付けられて前記画像データ記憶手段に記憶されている前記画像データを前記第一の条件に基づいて送信する処理を前記第二の送信手段に実行させることによって、前記工程を実行する、
請求項１ないし請求項３のいずれかに記載の画像出力システム。
【請求項６】
前記第一の画像出力装置には、さらに、
端末装置から前記画像の画像データを受信する受信手段と、
受信された前記画像データを前記ジョブ識別子と対応付けて画像データ記憶手段に記憶させる画像データ記憶処理手段と、
受信された前記画像データを用いて前記画像を前記第一の条件に基づいて印刷する第一の印刷手段と、
が備わり、
前記第二の画像出力装置には、さらに、
第二の印刷手段、
が備わり、
前記ジョブ実行手段は、前記ジョブが前記端末装置から受信した前記画像データを用いて前記画像を用紙に印刷するジョブである場合は、読み出された前記ジョブ識別子に対応付けられて前記画像データ記憶手段に記憶されている前記画像データを用いて、前記画像を前記第一の条件に基づいて印刷する処理を前記第二の印刷手段に実行させることによって、前記工程を実行する、
請求項１ないし請求項３のいずれかに記載の画像出力システム。
【請求項７】
前記画像データ記憶手段は、前記第一の画像出力装置に設けられているストレージ、前記第一の画像出力装置および前記第二の画像出力装置と通信する機能を有するサーバ、または前記電子ペーパーに設けられている不揮発性メモリによって実現される、
請求項４ないし請求項６のいずれかに記載の画像出力システム。
【請求項８】
前記第一の画像出力装置には、さらに、
前記画像の画像データを保存するデータ保存手段と、
前記データ保存手段に保存されている前記画像データのうちのユーザによって指定された画像データである指定画像データを用いて前記第一の条件に基づいて前記画像を用紙に印刷する第一の印刷手段と、
前記指定画像データを識別する画像データ識別子を前記ジョブ識別子と対応付けてジョブ識別子記憶手段に記憶させるジョブ識別子記憶処理手段と、
が備わり、
前記第二の画像出力装置には、さらに、
第二の印刷手段、
が備わり、
前記ジョブ実行手段は、前記ジョブが前記指定画像データを用いて前記画像を用紙に印刷するジョブである場合は、読み取られた前記ジョブ識別子に対応付けられて前記ジョブ識別子記憶手段に記憶されている前記データ識別子に基づいて当該指定画像データを前記第一の画像出力装置から取得し、当該指定画像データを用いて前記画像を前記第一の条件に基づいて印刷する処理を、前記第二の印刷手段に実行させることによって、前記工程を実行する、
請求項１ないし請求項３のいずれかに記載の画像出力システム。
【請求項９】
前記第一の画像出力装置には、さらに、
前記画像の画像データを保存するデータ保存手段と、
前記データ保存手段に保存されている前記画像データのうちのユーザによって指定された画像データである指定画像データを前記第一の条件に基づいて送信する第一の送信手段と、
前記指定画像データを識別する画像データ識別子を前記ジョブ識別子と対応付けてジョブ識別子記憶手段に記憶させるジョブ識別子記憶処理手段と、
が備わり、
前記第二の画像出力装置には、さらに、
第二の送信手段、
が備わり、
前記ジョブ実行手段は、前記ジョブが通信回線を介して前記指定画像データを提供するジョブである場合は、読み取られた前記ジョブ識別子に対応付けられて前記ジョブ識別子記憶手段に記憶されている前記データ識別子に基づいて当該指定画像データを前記第一の画像出力装置から取得し、当該指定画像データを前記第一の条件に基づいて送信する処理を、前記第二の送信手段に実行させることによって、前記工程を実行する、
請求項１ないし請求項３のいずれかに記載の画像出力システム。
【請求項１０】
前記第二の画像出力装置には、さらに、
取得された前記第一の条件を表示する条件表示手段と、
表示された前記第一の条件をユーザが変更するための操作手段と、
前記第一の条件をユーザが変更したものを第二の条件として受け付ける受付手段と、
が備わり、
前記ジョブ実行手段は、前記受付手段によって前記第二の条件が受け付けられた場合は、当該第二の条件に基づいて前記工程を実行する、
請求項１ないし請求項９のいずれかに記載の画像出力システム。
【請求項１１】
前記第二の画像出力装置には、さらに、
前記第一の条件に基づいて前記工程を実行するのが不能である場合にその旨のメッセージを表示するメッセージ表示手段、
が備わる、
請求項１ないし請求項１０のいずれかに記載の画像出力システム。
【請求項１２】
第一の画像出力装置、第二の画像出力装置、および端末装置を有する画像出力システムであって、
前記第一の画像出力装置には、
前記第一の画像出力装置から出力する予定である画像を、当該画像を出力するジョブを実行する際の第一の条件に基づいて電子ペーパーに表示させる表示処理手段と、
前記第一の条件を、前記ジョブを識別するジョブ識別子と対応付けて条件記憶手段に記憶させる条件記憶処理手段と、
前記ジョブ識別子を前記電子ペーパーに記憶させるジョブ識別子記憶処理手段と、
が備わり、
前記端末装置には、
前記電子ペーパーに記憶されている前記ジョブ識別子を入力する入力手段と、
入力された前記ジョブ識別子に対応する前記第一の条件に基づいて前記ジョブの全部または一部の工程を実行するように前記第二の画像出力装置に対して指令する指令手段と、
が備わり、
前記第二の画像処理装置には、
前記端末装置からの指令に基づいて前記工程を実行するジョブ実行手段、
が備わる、
ことを特徴とする画像出力システム。
【請求項１３】
出力する予定である画像を、当該画像を出力するジョブを実行する際の第一の条件に基づいて電子ペーパーに表示させる表示処理手段と、
前記第一の条件を、前記ジョブを識別するジョブ識別子と対応付けて条件記憶手段に記憶させる条件記憶処理手段と、
前記ジョブ識別子を前記電子ペーパーに記憶させるジョブ識別子記憶処理手段と、
前記電子ペーパーから前記ジョブ識別子を読み出すジョブ識別子読出手段と、
読み出された前記ジョブ識別子に対応する前記第一の条件を前記条件記憶手段から取得する条件取得手段と、
取得された前記第一の条件に基づいて前記ジョブの全部または一部の工程を実行するジョブ実行手段と、
を有することを特徴とする画像出力装置。
【請求項１４】
出力する予定である画像を、当該画像を用紙に印刷することによって出力しまたはデータとして送信することによって出力するジョブを実行する際の第一の条件に基づいて電子ペーパーに表示させる処理を、第一の画像出力装置に実行させる第一のステップと、
前記第一の条件を、前記ジョブを識別するジョブ識別子と対応付けて条件記憶手段に記憶させる処理を、前記第一の画像出力装置に実行させる第二のステップと、
前記ジョブ識別子を前記電子ペーパーに記憶させる処理を、前記第一の画像出力装置に実行させる第三のステップと、
前記電子ペーパーに記憶されている前記ジョブ識別子を読み出す処理を第二の画像出力装置に実行させる第四のステップと、
読み出した前記ジョブ識別子に対応する前記第一の条件に基づいて前記ジョブの全部または一部の工程を前記第二の画像出力装置に実行させる第五のステップと、
を有することを特徴とする画像出力方法。
【請求項１５】
第一の画像出力装置から出力する予定である画像を、当該画像を出力するジョブを実行する際の第一の条件に基づいて電子ペーパーに表示する処理を、当該第一の画像出力装置に実行させる、第一のステップと、
前記第一の条件を、前記ジョブを識別するジョブ識別子と対応付けて条件記憶手段に記憶させる処理を、前記第一の画像出力装置に実行させる、第二のステップと、
前記ジョブ識別子を前記電子ペーパーに記憶させる処理を前記第一の画像出力装置に実行させる第三のステップと、
前記電子ペーパーに記憶されている前記ジョブ識別子を取得する処理を端末装置に実行させる第四のステップと、
取得された前記ジョブ識別子に対応する前記第一の条件に基づいて前記ジョブの全部または一部の工程を実行するように前記第二の画像出力装置に対して指令する処理を前記端末装置に実行させる第五のステップと、
前記端末装置からの指令に基づいて前記工程を前記第二の画像出力装置に実行させる第六のステップと、
を有することを特徴とする画像出力方法。
【請求項１６】
画像出力装置に用いられるコンピュータプログラムであって、
前記画像出力装置に、
出力する予定である画像を、当該画像を出力するジョブを実行する際の第一の条件に基づいて電子ペーパーに表示させる処理を実行させ、
前記第一の条件を、前記ジョブを識別するジョブ識別子と対応付けて条件記憶手段に記憶させる処理を実行させ、
前記ジョブ識別子を前記電子ペーパーに記憶させる処理を実行させ、
前記電子ペーパーから前記ジョブ識別子を読み出す処理を実行させ、
読み出された前記ジョブ識別子に対応する前記第一の条件を前記条件記憶手段から取得する処理を実行させ、
取得された前記第一の条件に基づいて前記ジョブの全部または一部の工程を実行させる、
ことを特徴とするコンピュータプログラム。
【発明の詳細な説明】
【技術分野】
【０００１】
本発明は、印刷しまたは画像データを送信することによって画像を出力する方法、システム、および装置などに関する。
【背景技術】
【０００２】
近年、コピー、ＰＣプリント、スキャン、ファックス、およびファイルサーバなどの様々な機能を備えた画像形成装置が普及している。このような画像形成装置は、「複合機」または「ＭＦＰ（Multi Function Peripherals）」などと呼ばれることもある。
【０００３】
また、近年、電子ペーパーが注目されている。電子ペーパーに画像を表示する方式は、マイクロカプセル方式、液晶方式、および電気泳動方式など様々であるが、いずれの方式の電子ペーパーも、次のような特長がある。
【０００４】
電子ペーパーは、電力がなくても画像を表示し続けることができる。または、ＣＲＴ（Cathode Ray Tube）ディスプレイおよびＬＣＤ（Liquid Crystal Display）などに比べて消費電力が極めて小さい。また、電子ペーパーは、紙と同じように反射光を利用して画像を表示するので、ＣＲＴディスプレイおよびＬＣＤに比べて目への負担が小さい。そのほか、紙のように薄くフレキシブルである、という特長を有する。
【０００５】
さらに、画像形成装置から画像を出力する前に、どのような状態で画像が出力されるのかをユーザが確認するために電子ペーパーに表示する方法が提案されている（特許文献１〜５）。このように、印刷などの、目的の出力を行う前に、確認のために画像をディスプレイ等に出力することは、一般に、「プレビュー」と呼ばれている。
【０００６】
電子ペーパーでプレビューを行えば、ユーザは、例えば、画像形成装置から電子ペーパーを一旦取り外して自分の席に持ち帰り、その状態のまま画像を印刷してもよいのかまたは校正すべきかを、ゆっくりと検討することができる。組織に所属している場合は、他のメンバと検討することも容易である。
【０００７】
そして、ユーザは、その状態のまま画像を印刷してもよいと判断したら、同じ画像形成装置のところへ再び出向き、電子ペーパーをセットして目的の出力を開始させることができる。
【先行技術文献】
【特許文献】
【０００８】
【特許文献１】特開２００５−２３８７０９号公報
【特許文献２】特開２００７−１４４６７４号公報
【特許文献３】特開２００６−４１８０１号公報
【特許文献４】特開２００７−７８８０９号公報
【特許文献５】特開２００５−１７５９４２号公報
【発明の概要】
【発明が解決しようとする課題】
【０００９】
上述の通り、画像形成装置は、企業、役所、および教育機関などの組織の施設に設置されている場合は、多数のユーザによって共用されることが多い。図書館、コンビニエンスストア、およびスーパーマーケットなど、不特定多数の人が集まる施設に設置されている場合も、同様である。
【００１０】
したがって、ユーザは、電子ペーパーでプレビューおよび確認を行った後、再び画像形成装置のところへ出向いても、その画像形成装置を他の者が使用している最中であることが、あり得る。このような場合は、ユーザは、他の者による使用が終わるのを待たなければならない。空いている他の画像形成装置を代わりに使用して目的の出力を開始することができれば、便利である。
【００１１】
本発明は、このような課題に鑑み、出力する対象の画像を電子ペーパーでプレビューおよび確認を行った後、従来よりも容易にこの画像を他の画像形成装置などで出力できるようにすることを、目的とする。
【課題を解決するための手段】
【００１２】
本発明の一形態に係る画像出力システムは、第一の画像出力装置および第二の画像出力装置を有する画像出力システムであって、前記第一の画像出力装置には、出力する予定である画像を、当該画像を出力するジョブを実行する際の第一の条件に基づいて電子ペーパーに表示させる表示処理手段と、前記第一の条件を、前記ジョブを識別するジョブ識別子と対応付けて条件記憶手段に記憶させる条件記憶処理手段と、前記ジョブ識別子を前記電子ペーパーに記憶させるジョブ識別子記憶処理手段と、が備わり、前記第二の画像出力装置には、前記電子ペーパーから前記ジョブ識別子を読み出すジョブ識別子読出手段と、読み出された前記ジョブ識別子に対応する前記第一の条件を前記条件記憶手段から取得する条件取得手段と、取得された前記第一の条件に基づいて前記ジョブの全部または一部の工程を実行するジョブ実行手段と、が備わる。
【００１３】
好ましくは、前記条件記憶手段は、前記第一の画像出力装置に設けられているストレージによって実現され、前記条件記憶処理手段は、前記第一の条件を、前記第一の画像出力装置を識別する装置識別子と対応付けて前記条件記憶手段に記憶させ、前記ジョブ識別子記憶処理手段は、前記ジョブ識別子を前記装置識別子とともに前記電子ペーパーに記憶させ、前記ジョブ識別子読出手段は、前記ジョブ識別子を前記装置識別子とともに読み出し、前記条件取得手段は、読み出された前記装置識別子に基づいて前記第一の画像出力装置に接続し、当該装置識別子とともに読み出された前記ジョブ識別子に対応する条件を要求し受信することによって、前記第一の条件を取得する。
【００１４】
または、前記条件記憶手段は、前記第一の画像出力装置および前記第二の画像出力装置と通信する機能を有するサーバまたは前記電子ペーパーに設けられている不揮発性メモリによって実現される。
【発明の効果】
【００１５】
本発明によると、ユーザは、ある画像出力装置で出力する対象の画像を電子ペーパーでプレビューおよび確認を行った後、従来よりも容易に他の画像出力装置で出力することができる。
【図面の簡単な説明】
【００１６】
【図１】ネットワークシステムの全体的な構成の例を示す図である。
【図２】画像形成装置のハードウェア構成の例を示す図である。
【図３】操作パネルの構成の例を示す図である。
【図４】画像形成装置の機能的構成の例を示す図である。
【図５】電子ペーパーのハードウェア構成の例を示す図である。
【図６】ジョブ概要テーブルの例を示す図である。
【図７】印刷ジョブ詳細テーブルの例を示す図である。
【図８】配信ジョブ詳細テーブルの例を示す図である。
【図９】トップ画面の例を示す図である。
【図１０】条件指定画面の例を示す図である。
【図１１】プレビュー通知画面の例を示す図である。
【図１２】条件指定画面の例を示す図である。
【図１３】プレビュー通知画面の例を示す図である。
【図１４】条件指定画面の例を示す図である。
【図１５】プレビュー通知画面の例を示す図である。
【図１６】条件指定画面の例を示す図である。
【図１７】条件指定画面の例を示す図である。
【図１８】出力対象指定画面の例を示す図である。
【図１９】プレビュー通知画面の例を示す図である。
【図２０】条件指定画面の例を示す図である。
【図２１】出力対象指定画面の例を示す図である。
【図２２】プレビュー通知画面の例を示す図である。
【図２３】条件指定画面の例を示す図である。
【図２４】条件指定画面の例を示す図である。
【図２５】条件指定画面の例を示す図である。
【図２６】ジョブ概要テーブルの変形例を示す図である。
【図２７】印刷ジョブ詳細テーブルの変形例を示す図である。
【図２８】配信ジョブ詳細テーブルの変形例を示す図である。
【図２９】条件指定画面の例を示す図である。
【図３０】画像形成装置の全体的な処理の流れの例を説明するフローチャートである。
【図３１】画像形成装置の全体的な処理の流れの例を説明するフローチャートである。
【図３２】再実行ジョブ選択画面の例を示す図である。
【図３３】再実行ジョブ選択画面の例を示す図である。
【図３４】端末装置と電子ペーパーとを接続する例を示す図である。
【発明を実施するための形態】
【００１７】
図１はネットワークシステムＳＹの全体的な構成の例を示す図、図２は画像形成装置１のハードウェア構成の例を示す図、図３は操作パネル１０ｈの構成の例を示す図、図４は画像形成装置１の機能的構成の例を示す図、図５は電子ペーパー４のハードウェア構成の例を示す図である。
【００１８】
図１に示すように、ネットワークシステムＳＹは、複数台の画像形成装置１、複数台の端末装置２、および通信回線３などによって構成される。これらの装置は、通信回線３を介して互いに接続可能である。通信回線３として、公衆回線、専用線、インターネット、またはいわゆるＬＡＮ（Local Area Network）回線などが用いられる。
【００１９】
ネットワークシステムＳＹは、役所または企業などの組織に設けられ、その組織のメンバによって使用される。以下、ある企業Ｘにおいて使用されるネットワークシステムＳＹを例に説明する。企業Ｘの社員を「ユーザ」と記載する。
【００２０】
画像形成装置１は、一般に複合機またはＭＦＰ（Multi Function Peripherals）などと呼ばれる画像処理装置であって、コピー、ＰＣプリント（ネットワークプリンティング）、ファックス、スキャナ、ボックス、および電子メールなどの機能を集約した装置である。
【００２１】
「ＰＣプリント機能」とは、端末装置２から受信した画像データに基づいて画像を用紙に印刷する機能である。
【００２２】
「ボックス機能」とは、ユーザごとに「ボックス」または「パーソナルボックス」などと呼ばれる記憶領域を与えておき、各ユーザが自分の記憶領域によって画像データなどのデータを保存し管理するための機能である。ボックスは、パーソナルコンピュータにおける「フォルダ」または「ディレクトリ」に相当する。また、本実施形態では、データは、ファイル単位でボックスに保存される。
【００２３】
画像形成装置１は、企業Ｘの建物内のフロアごとに１台ずつ設置されている。以下、各画像形成装置１を「画像形成装置１Ａ」、「画像形成装置１Ｂ」、「画像形成装置１Ｃ」、…と区別して記載することがある。各画像形成装置１は、同一の構成を有する。各画像形成装置１には、ユニークな識別子であるＭＦＰ＿ＩＤが１つずつ与えられている。
【００２４】
ユーザは、任意の画像形成装置１を直接または遠隔的に操作することによって、上記の機能を使用することができる。特に、本実施形態では、ユーザは、ある画像をある条件で出力する処理を任意の画像形成装置１に実行させる前に、その画像がどのような状態で出力されるのかを電子ペーパーにシミュレーションさせることができる。このようなシミュレーションは、一般的に、「プレビュー」と呼ばれている。以下、プレビューによって電子ペーパー４などの表示装置に表示される画面を「プレビュー画面」と記載する。
【００２５】
ユーザは、さらに、その電子ペーパーを用いれば、その画像を同じ条件で他の画像形成装置１によって簡単に出力することができる。これらの仕組みについては、後に順次説明する。
【００２６】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、ハードディスク１０ｄ、スキャナ１０ｅ、印刷装置１０ｆ、ネットワークインタフェース１０ｇ、操作パネル１０ｈ、モデム１０ｉ、および電子ペーパーインタフェース１０ｊのほか、制御用回路などによって構成される。
【００２７】
スキャナ１０ｅは、原稿の用紙に記されている写真、文字、絵、図表などの画像を読み取って画像データを生成する装置である。
【００２８】
印刷装置１０ｆは、スキャナ１０ｅによって読み取られた画像または他の装置から受信した画像データに示される画像を印刷する。
【００２９】
操作パネル１０ｈは、図３に示すように、タッチパネル１０ｈ１およびキー群１０ｈ２などによって構成される。
【００３０】
タッチパネル１０ｈ１には、ユーザに対するメッセージを与えるための画面、処理の結果を示す画面、またはユーザが画像形成装置１に対して指示を入力するための画面などが表示される。また、タッチパネル１０ｈ１は、タッチされた（押された）位置を検知し、ＣＰＵ１０ａにその位置を通知する。
【００３１】
キー群１０ｈ２は、テンキー、スタートキー、およびストップキーなどのキーによって構成される。
【００３２】
ユーザは、操作パネル１０ｈを操作することによって、画像形成装置１に対してコマンドを与えたりデータを入力したりすることができる。
【００３３】
ネットワークインタフェース１０ｇは、通信回線３を介してＴＣＰ／ＩＰ（Transmission Control Protocol/Internet Protocol）によって端末装置２または他の画像形成装置１と通信を行うためのＮＩＣ（Network Interface Card）である。
【００３４】
モデム１０ｉは、固定電話網を介してＧ３のプロトコルによって他のファックス端末と通信を行う装置である。
【００３５】
電子ペーパーインタフェース１０ｊは、電子ペーパーと通信を行うための装置である。本実施形態では、Ｂｌｕｅｔｏｏｔｈを採用する電子ペーパーを使用する場合を例に説明する。よって、電子ペーパーインタフェース１０ｊとして、Ｂｌｕｅｔｏｏｔｈによる無線通信を行う装置が用いられる。または、画像形成装置１と電子ペーパー４とを、ＵＳＢ（Universal Serial Bus）または無線ＬＡＮなどの既存の他の規格のインタフェースによって接続してもよいし、電子ペーパー専用のインタフェースで接続してもよい。
【００３６】
ＲＯＭ１０ｃまたはハードディスク１０ｄには、図４に示すようなジョブ実行制御部１０１、ジョブ実行条件受付部１０２、プレビュー表示処理部１０３、ジョブ履歴管理部１０４、ボックス管理部１０５、識別情報書込処理部１０６、識別情報取得処理部１２１、ジョブデータ受信部１２２、ジョブデータ送信部１３１、ジョブ履歴情報データベース１４１、ボックス情報データベース１４２、およびスキャンデータ等保存部１４３などを実現するためのプログラムが記憶されている。これらのプログラムは、必要に応じてＲＡＭ１０ｂにロードされ、ＣＰＵ１０ａによって実行される。
【００３７】
図４に示す各部の機能の全部または一部を回路などのハードウェアのみによって実現してもよい。
【００３８】
図１に戻って、端末装置２には、画像を印刷する処理を画像形成装置１に実行させるためのドライバがインストールされている。端末装置２として、パーソナルコンピュータまたはＰＤＡ（Personal Digital Assistant）などが用いられる。以下、各端末装置２を、「端末装置２Ａ」、「端末装置２Ｂ」、「端末装置２Ｃ」…と区別して記載することがある。
【００３９】
電子ペーパー４は、プレビュー画面の表示などのために用いられる電子ペーパーであって、図５に示すように、ＣＰＵ４０ａ、不揮発性メモリ４０ｂ、通信インタフェース４０ｃ、表示パネル４０ｄ、および操作ボタン４０ｅなどによって構成される。
【００４０】
ＣＰＵ４０ａは、電子ペーパー４の全体的な制御を行う。操作ボタン４０ｅは、ユーザが電子ペーパー４に対して指令を与えるために用いられる。
【００４１】
不揮発性メモリ４０ｂには、画像データのほか、ＭＦＰ＿ＩＤおよびＪＯＢ＿ＩＤのペアが記録される。
【００４２】
通信インタフェース４０ｃは、画像形成装置１と通信を行うためのインタフェースである。本実施形態では、Ｂｌｕｅｔｏｏｔｈが用いられ、無線によって画像形成装置１との通信が行われる。
【００４３】
表示パネル４０ｄには、プレビュー画面が表示される。表示パネル４０ｄとして、マイクロカプセル方式の表示パネル、液晶方式の表示パネル、または電気泳動方式の表示パネルなどが用いられる。
【００４４】
次に、図４に示す画像形成装置１の各部の処理内容、画像形成装置１の操作方法、および電子ペーパー４の使用方法などについて、説明する。
【００４５】
〔基本的な処理および操作〕
図６はジョブ概要テーブルＴＢ１の例を示す図、図７は印刷ジョブ詳細テーブルＴＢ２の例を示す図、図８は配信ジョブ詳細テーブルＴＢ３の例を示す図、図９はトップ画面ＷＮ０の例を示す図である。
【００４６】
図４において、画像形成装置１のジョブ実行制御部１０１は、ユーザからの指令に基づいてジョブが実行されるように、画像形成装置１の各ハードウェアを制御する。
【００４７】
この際に、ジョブ実行制御部１０１は、条件に従ってジョブを実行させる。この条件は、２通りの方法によって取得される。１つ目の方法は、入力用の画面を画像形成装置１自らのタッチパネル１０ｈ１に表示してユーザに条件を入力させることによって、取得する方法である。２つ目の方法は、電子ペーパー４から読み取った情報に基づいて他の画像形成装置１から条件を取得する方法である。両方法の詳細は、後に順次説明する。
【００４８】
ところで、画像形成装置１は、画像を出力するジョブとして、次の５種類のジョブを実行することができる。
【００４９】
「原稿コピージョブ」は、用紙に記されている原稿の画像をスキャンして別の用紙に印刷（複写）するジョブである。「スキャン配信ジョブ」は、用紙に記されている原稿の画像をスキャンして画像データを生成し、端末装置２へ配信（送信）するジョブである。
【００５０】
「読出コピージョブ」は、ボックスに保存されている画像データを読み出し、その画像データに基づいて画像を用紙に印刷するジョブである。「ＰＣプリントジョブ」は、端末装置２から受信した画像データに基づいて画像を用紙に印刷するジョブである。「読出配信ジョブ」は、ボックスに保存されている画像データを読み出して端末装置２へ配信するジョブである。
【００５１】
画像形成装置１には、これらの種類のジョブを実行するためのアプリケーションが用意されている。そして、ジョブ実行制御部１０１は、これらのアプリケーションをＣＰＵ１０ａで実行することによって実現される。そこで、以下、ジョブの種類の名称を「アプリケーション名」と記載することがある。
【００５２】
図４の説明に戻って、プレビュー表示処理部１０３は、ジョブ実行制御部１０１が実行しようとしているジョブによって出力される画像のプレビュー画面を表示する処理を行う。
【００５３】
ジョブ履歴管理部１０４は、ジョブ実行制御部１０１によってジョブが実行されるごとに、ユニークな識別子であるＪＯＢ＿ＩＤをそのジョブに対して発行する。そして、画像形成装置１自身のＭＦＰ＿ＩＤ、発行したＪＯＢ＿ＩＤ、そのジョブの種類（アプリケーション名）、およびそのジョブを実行した日時（実行日時）を示す概要レコードＲＡを生成し、ジョブ概要テーブルＴＢ１に格納する。読出コピージョブおよび読出配信ジョブのいずれかの場合は、さらに、使用した画像データのファイル名およびそれが保存されているボックスの名称（ボックス名）が概要レコードＲＡに示される。
【００５４】
このように、ジョブが実行されるごとにその履歴を示す概要レコードＲＡが生成され、図６に示すように、概要レコードＲＡがジョブ概要テーブルＴＢ１に蓄積される。
【００５５】
さらに、ジョブ履歴管理部１０４は、ジョブが実行されるごとに、その種類に応じた詳細レコードを次のように生成する。
【００５６】
原稿コピージョブ、スキャン配信ジョブ、およびＰＣプリントジョブのいずれかである場合、つまり、印刷を伴うジョブの場合は、ジョブ履歴管理部１０４は、図７に示すような、ジョブの実行の条件などを示すジョブ詳細レコードＲＢを生成し印刷ジョブ詳細テーブルＴＢ２に格納する。
【００５７】
あるジョブのジョブ詳細レコードＲＢにおいて、「ＪＯＢ＿ＩＤ」は、そのジョブに対して発行したＪＯＢ＿ＩＤを示す。「カラーモード」は、そのジョブにおいて行った印刷がフルカラー印刷であるかモノクロ印刷であるかを示す。「用紙サイズ」は、印刷に使用した用紙のサイズおよび向きを示す。「片面／両面  Ｎｉｎ１」は、印刷面が用紙の片面であるか両面であるかと、１面当たりに印刷したページ数とを、示す。「排紙モード」は、印刷物の仕上げの方法を示す。
【００５８】
一方、スキャン配信ジョブおよび読出配信ジョブのいずれかである場合、つまり、画像データの配信を伴うジョブの場合は、ジョブ履歴管理部１０４は、図８に示すような、ジョブの実行の条件などを示すジョブ詳細レコードＲＣを生成し配信ジョブ詳細テーブルＴＢ３に格納する。
【００５９】
あるジョブのジョブ詳細レコードＲＣにおいて、「ＪＯＢ＿ＩＤ」は、そのジョブに対して発行したＪＯＢ＿ＩＤを示す。「カラーモード」は、そのジョブにおいて配信した画像データがカラー画像を再現するためのものであるかモノクロ画像を再現するためのものであるかを、示す。「解像度」は、その画像データで再現可能な画像の解像度を示す。「フォーマット」は、その画像データのフォーマットを示す。「配信先」は、その画像データの配信先であるユーザの名称（ユーザ名）を示す。ユーザ名の代わりに、電子メールアドレスまたは端末装置２のＩＰアドレスなどを用いてもよい。
【００６０】
なお、ジョブ概要テーブルＴＢ１、印刷ジョブ詳細テーブルＴＢ２、および配信ジョブ詳細テーブルＴＢ３は、ジョブ履歴情報データベース１４１に記憶されている。
【００６１】
図４の説明に戻って、スキャンデータ等保存部１４３には、スキャナ１０ｅによって得られまたは端末装置２から送信されてきた、ジョブの対象である画像の画像データが保存される。
【００６２】
ボックス情報データベース１４２には、ユーザごとのボックスが設けられている。各ユーザは、自分のボックスに自由に画像データを保存することができる。
【００６３】
ボックス管理部１０５は、ボックスの管理のための処理を行う。例えば、ユーザのために新たなボックスをボックス情報データベース１４２に作成したり、画像データをボックスに保存させたりする。これらの処理は、ユーザの操作に応じて次のように行われる。
【００６４】
ユーザがキー群１０ｈ２の中のリセットキー（図３参照）を押すなど所定の操作を行うと、タッチパネル１０ｈ１には、図９のようなトップ画面ＷＮ０が表示される。
【００６５】
ユーザが「ＢＯＸ作成」ボタンを押すと、ボックス管理部１０５は、ボックス名を入力するための画面を表示させる。ここで、ユーザは、既存のボックスのボックス名と重複しないように、ユニークなボックス名を入力する。すると、ボックス管理部１０５は、入力されたボックス名を有するボックスを新たにボックス情報データベース１４２に生成する。
【００６６】
または、ユーザがトップ画面ＷＮ０の「保存」ボタンを押すと、ボックス管理部１０５は、保存の対象の画像データの現在のパス（保存場所およびファイル名）およびその保存先とするボックスを指定するための画面を表示する。ここで、ユーザは、これらを指定する。すると、ボックス管理部１０５は、指定された現在のパスに基づいて画像データを取得し、それをファイルとして、指定された保存先のボックスに保存する。
【００６７】
〔新たなジョブを実行する場合〕
ユーザは、新たなジョブを画像形成装置１に実行させる場合は、そのジョブの種類および条件を画像形成装置１に対して指定する。ジョブ実行条件受付部１０２は、ユーザによって指定された内容を受け付ける処理を行う。
【００６８】
プレビュー表示処理部１０３は、受け付けられた条件で画像の出力を行った場合のシミュレーションつまりプレビュー表示を行う。ジョブ実行制御部１０１は、受け付けられた条件でジョブを実行する。
【００６９】
以下、電子ペーパー４によるプレビュー画面の表示を伴う場合の、ユーザが新たなジョブの種類および条件を指定する操作と画像形成装置１の各部の処理とを、ジョブの種類ごとに説明する。
【００７０】
（１）  新たなジョブが原稿コピージョブである場合
図１０は条件指定画面ＷＮ１１の例を示す図、図１１はプレビュー通知画面ＷＮ１２の例を示す図である。
【００７１】
ユーザは、原稿の画像の記されている用紙を原稿台にセットし、図９のトップ画面ＷＮ０において「原稿コピー」ボタンを押す。
【００７２】
すると、ジョブ実行条件受付部１０２は、図１０のような条件指定画面ＷＮ１１を表示させる。ここで、ユーザは、所望する条件を、対応するボタンを押すことによって指定する。
【００７３】
さらに、ユーザは、用紙への印刷を開始する前に画像を電子ペーパー４のプレビュー画面で確認したい場合は、電子ペーパー４を電子ペーパーインタフェース１０ｊにセットするとともに、「仕上がりプレビュー」の列の「あり」ボタンを押しておく。なお、電子ペーパー４が正しくセットされたら、「電子ペーパー接続」ボタンが押された状態に自動的に遷移する。このようにして、プレビュー画面の準備がなされる。プレビュー画面の準備の手順は、後述する他の種類のジョブにおいても、同様である。
【００７４】
ユーザは、条件を指定し、必要に応じてプレビュー画面の準備を行ったら、キー群１０ｈ２のスタートキー（図３参照）を押す。
【００７５】
すると、ジョブ実行条件受付部１０２は、「原稿コピージョブ」をジョブの種類として受け付け、条件指定画面ＷＮ１１で指定された内容を条件として受け付ける。
【００７６】
条件指定画面ＷＮ１１において「あり」ボタンが選択された場合は、プレビュー表示処理部１０３は、セットされた用紙をスキャナ１０ｅにスキャン（いわゆるプレスキャン）させる。これにより、コピーの対象の画像の画像データが得られる。
【００７７】
そして、プレビュー表示処理部１０３は、その画像データに基づいて、受け付けられた条件で印刷したとすれば得られるであろう画像を求め、セットされている電子ペーパー４にその画像を表示させる。例えば、「２ｉｎ１」を含む条件が受け付けられた場合は、用紙１枚（表示パネル４０ｄの全体を１枚とみなす場合は、表示面１枚）当たりに原稿の２つの面の画像を並べた画像を表示させる。
【００７８】
また、このとき、プレビュー表示処理部１０３は、タッチパネル１０ｈ１（図３参照）に、図１１のようなプレビュー通知画面ＷＮ１２を表示させる。
【００７９】
ユーザは、電子ペーパー４に表示された画像を見て、用紙への印刷を開始してもよいか否かを決める。自分の所望する印刷物が得られないようであれば、「戻る」ボタンを押せばよい。すると、このジョブはキャンセルされる。そして、ジョブ実行条件受付部１０２は、図１０の条件指定画面ＷＮ１１を再び表示させる。ここで、ユーザは、原稿の用紙をセットし直し、条件を指定し直せばよい。一方、自分の所望する印刷物が得られるようであれば、キー群１０ｈ２のスタートキーを押してジョブを開始させればよい。後述の他の種類のジョブの場合も同様に、条件を指定し直す場合は「戻る」ボタンを押し、そのままの条件でジョブを実行してもよい場合はスタートキーを押せばよい。
【００８０】
スタートキーが押されると、ジョブ実行制御部１０１は、スキャナ１０ｅがスキャンして取得した画像データに基づいて、ジョブ実行条件受付部１０２が受け付けた条件で画像が用紙に印刷（複写）されるように印刷装置１０ｆなどを制御する。画像データは、改めて取得し直してもよいし、プレスキャンで取得したものを使用してもよい。
【００８１】
ジョブ履歴管理部１０４は、上述の通り、このジョブの概要レコードＲＡおよびジョブ詳細レコードＲＢを生成し、それぞれ、ジョブ概要テーブルＴＢ１（図６参照）および印刷ジョブ詳細テーブルＴＢ２（図７参照）に格納する。
【００８２】
識別情報書込処理部１０６は、画像形成装置１自身のＭＦＰ＿ＩＤおよびこのジョブのＪＯＢ＿ＩＤを互いに対応付けて、電子ペーパーインタフェース１０ｊを介して電子ペーパー４の不揮発性メモリ４０ｂに書き込む。
【００８３】
スキャンデータ等保存部１４３には、スキャナ１０ｅによって取得された画像データが、ＪＯＢ＿ＩＤと対応付けられて保存される。
【００８４】
（２）  新たなジョブがスキャン配信ジョブである場合
図１２は条件指定画面ＷＮ２１の例を示す図、図１３はプレビュー通知画面ＷＮ２２の例を示す図である。
【００８５】
ユーザは、原稿の画像の記されている用紙を原稿台にセットし、図９のトップ画面ＷＮ０において「スキャン配信」ボタンを押す。
【００８６】
すると、ジョブ実行条件受付部１０２は、図１２のような条件指定画面ＷＮ２１を表示させる。ここで、ユーザは、所望する条件を、対応するボタンを押すことによって指定する。さらに、ユーザは、画像データの配信を開始する前に画像を電子ペーパー４で確認したい場合は、プレビュー画面のための上述の準備を行っておく。
【００８７】
ユーザは、条件を指定し、必要に応じてプレビュー画面の準備を行ったら、スタートキーを押す。
【００８８】
すると、ジョブ実行条件受付部１０２は、「スキャン配信ジョブ」をジョブの種類として受け付け、条件指定画面ＷＮ２１で指定された内容を条件として受け付ける。
【００８９】
条件指定画面ＷＮ２１において「あり」ボタンが選択された場合は、プレビュー表示処理部１０３は、セットされた用紙をスキャナ１０ｅにプレスキャンさせる。これにより、配信対象の画像の画像データが得られる。さらに、受け付けられた条件に従って画像データを変換する。例えば、６００ｄｐｉの読取り解像度でカラーの原稿が読み取られ、かつ条件が「モノクロ」、「２００ｄｐｉ」、および「ＴＩＦＦ」である場合は、モノクロに変換しかつ解像度を２００ｄｐｉに落とした、ＴＩＦＦ（Tagged Image File Format）の画像データに変換する。
【００９０】
そして、プレビュー表示処理部１０３は、変換後の画像データに基づいて電子ペーパー４にその画像を表示させる。
【００９１】
また、このとき、プレビュー表示処理部１０３は、タッチパネル１０ｈ１に、図１３のようなプレビュー通知画面ＷＮ２２を表示させる。
【００９２】
原稿コピージョブの場合と同様に、ユーザは、電子ペーパー４に表示された画像を見て、ジョブを実行してもよいか否かを決める。そして、実行してもよければスタートキーを押し、条件を指定し直したければ「戻る」ボタンを押す。
【００９３】
スタートキーが押されると、ジョブ実行制御部１０１は、指定された条件に応じて変換した画像データが、指定された宛先へ送信されるように、ネットワークインタフェース１０ｇなどを制御する。画像データは、改めて取得し直してもよいし、プレスキャンで取得したものを使用してもよい。
【００９４】
ジョブ履歴管理部１０４は、上述の通り、このジョブの概要レコードＲＡおよびジョブ詳細レコードＲＣを生成し、それぞれ、ジョブ概要テーブルＴＢ１および配信ジョブ詳細テーブルＴＢ３（図８参照）に格納する。
【００９５】
識別情報書込処理部１０６は、原稿コピージョブの場合と同様に、画像形成装置１自身のＭＦＰ＿ＩＤおよびこのジョブのＪＯＢ＿ＩＤを互いに対応付けて、電子ペーパー４の不揮発性メモリ４０ｂに書き込む。
【００９６】
スキャンデータ等保存部１４３には、スキャナ１０ｅによって取得された画像データが、ＪＯＢ＿ＩＤと対応付けられて保存される。
【００９７】
（３）  新たなジョブがＰＣプリントジョブである場合
図１４は条件指定画面ＷＮ３０の例を示す図、図１５はプレビュー通知画面ＷＮ３２の例を示す図、図１６は条件指定画面ＷＮ３１の例を示す図である。
【００９８】
ユーザは、印刷対象の画像の画像データをいずれかの端末装置２（例えば、端末装置２Ａ）に用意しておく。ユーザは、画像データを、端末装置２にインストールされているワープロソフトまたは描画ソフトなどのアプリケーションで書類を作成することによって用意すればよい。または、インターネット上のサーバからＷＥＢブラウザでＷＥＢページのデータをダウンロードすることによって用意してもよい。
【００９９】
ユーザは、用意した画像データをアプリケーションで開き、所定のコマンドを入力する。すると、端末装置２は、図１４のような、いわゆる印刷ダイアログボックスである条件指定画面ＷＮ３０を表示する。ここで、ユーザは、原稿コピージョブの場合と同様に、所望する条件を指定するとともに、電子ペーパー４によるプレビュー画面の表示の要否を指定する。さらに、ユーザは、ジョブを行わせる画像形成装置１を指定する。
【０１００】
すると、端末装置２は、用意された画像データを、指定された画像形成装置１に対応したフォーマット（例えば、ＰｏｓｔＳｃｒｉｐｔなどのページ記述言語のフォーマット）に必要に応じて変換し、指定された画像形成装置１へ送信する。指定された条件およびプレビュー画面の要否を示す条件情報も併せて送信する。
【０１０１】
画像形成装置１において、ジョブ実行条件受付部１０２は、端末装置２から画像データおよび条件情報を受け付ける。
【０１０２】
ユーザは、印刷物を取得するために、指定した画像形成装置１のところへ向かう。画像形成装置１のところへ着いたら、電子ペーパー４を電子ペーパーインタフェース１０ｊにセットする。
【０１０３】
プレビュー表示処理部１０３は、端末装置２からの条件情報にプレビュー画面の表示が必要であることが示されている場合は、端末装置２からの画像データに基づいて、条件情報に示される条件で印刷したとすれば得られるであろう画像を求め、セットされた電子ペーパー４にその画像を表示させる。
【０１０４】
また、このとき、プレビュー表示処理部１０３は、タッチパネル１０ｈ１に、図１５のようなプレビュー通知画面ＷＮ３２を表示させる。
【０１０５】
原稿コピージョブの場合と同様に、ユーザは、電子ペーパー４に表示された画像を見て、ジョブを実行してもよいか否かを決める。そして、実行してもよければスタートキーを押し、条件を指定し直したければ「戻る」ボタンを押す。
【０１０６】
スタートキーが押されたら、ジョブ実行制御部１０１は、端末装置２からの画像データに基づいて、端末装置２からの条件情報に示される条件で画像が用紙に印刷（複写）されるように印刷装置１０ｆなどを制御する。
【０１０７】
一方、「戻る」ボタンが押されたら、ジョブ実行条件受付部１０２は、図１６のような条件指定画面ＷＮ３１をタッチパネル１０ｈ１に表示させる。条件指定画面ＷＮ３１には、端末装置２からの条件情報に示される条件が反映されている。ここで、ユーザは、ジョブの条件を指定し直すことができる。「あり」ボタンが選択されスタートキーが押されたら、プレビュー表示処理部１０３は、指定し直された条件で画像を電子ペーパー４に表示し直し、再度、プレビュー通知画面ＷＮ３２をタッチパネル１０ｈ１に表示する。
【０１０８】
ジョブ履歴管理部１０４は、上述の通り、このジョブの概要レコードＲＡおよびジョブ詳細レコードＲＢを生成し、それぞれ、ジョブ概要テーブルＴＢ１および印刷ジョブ詳細テーブルＴＢ２に格納する。
【０１０９】
識別情報書込処理部１０６は、原稿コピージョブの場合と同様に、画像形成装置１自身のＭＦＰ＿ＩＤおよびこのジョブのＪＯＢ＿ＩＤを互いに対応付けて、電子ペーパー４の不揮発性メモリ４０ｂに書き込む。
【０１１０】
スキャンデータ等保存部１４３には、端末装置２から送信されてきた画像データが、ＪＯＢ＿ＩＤと対応付けられて保存される。
【０１１１】
（４）  新たなジョブが読出コピージョブである場合
図１７は条件指定画面ＷＮ４１の例を示す図、図１８は出力対象指定画面ＷＮ４２の例を示す図、図１９はプレビュー通知画面ＷＮ４３の例を示す図である。
【０１１２】
ユーザは、図９のトップ画面ＷＮ０において、「読出コピー」ボタンを押す。
【０１１３】
すると、ジョブ実行条件受付部１０２は、図１７のような条件指定画面ＷＮ４１を表示させる。ここで、ユーザは、所望する条件を、対応するボタンを押すことによって指定する。さらに、用紙に印刷する前に画像を電子ペーパー４で確認したい場合は、プレビュー画面のための上述の準備を行っておく。そして、「ＯＫ」ボタンを押す。
【０１１４】
すると、ジョブ実行条件受付部１０２は、図１８のような出力対象指定画面ＷＮ４２を表示させる。出力対象指定画面ＷＮ４２は、ボックスに保存されているファイル（画像データ）を選択するための画面である。出力対象指定画面ＷＮ４２の左方には、ボックス情報データベース１４２に設けられているボックスの一覧が配置されている。いずれかのボックスが選択されると、選択されたボックスに保存されているファイル（画像データ）のファイル名の一覧が出力対象指定画面ＷＮ４２の中央に表示される。ユーザは、出力対象指定画面ＷＮ４２を操作して、印刷したい画像の画像データを検索し選択する。そして、スタートキーを押す。
【０１１５】
すると、ジョブ実行条件受付部１０２は、「読出コピージョブ」をジョブの種類として受け付け、条件指定画面ＷＮ４１で指定された内容を条件として受け付ける。
【０１１６】
条件指定画面ＷＮ４１において「あり」ボタンが選択された場合は、プレビュー表示処理部１０３は、出力対象指定画面ＷＮ４２で選択された画像データをボックスから読み出し、その画像データに基づいて、指定された条件で印刷したとすれば得られるであろう画像を求め、セットされた電子ペーパー４にその画像を表示させる。
【０１１７】
また、このとき、プレビュー表示処理部１０３は、タッチパネル１０ｈ１に、図１９のようなプレビュー通知画面ＷＮ４３を表示させる。
【０１１８】
原稿コピージョブの場合と同様に、ユーザは、電子ペーパー４に表示された画像を見て、ジョブを実行してもよいか否かを決める。そして、実行してもよければスタートキーを押し、条件を指定し直したければ「戻る」ボタンを押す。
【０１１９】
スタートキーが押されたら、ジョブ実行制御部１０１は、読み出した画像データに基づいて、指定された条件で画像が用紙に印刷（複写）されるように印刷装置１０ｆなどを制御する。
【０１２０】
ジョブ履歴管理部１０４は、上述の通り、このジョブの概要レコードＲＡおよびジョブ詳細レコードＲＢを生成し、それぞれ、ジョブ概要テーブルＴＢ１および印刷ジョブ詳細テーブルＴＢ２に格納する。
【０１２１】
識別情報書込処理部１０６は、原稿コピージョブの場合と同様に、画像形成装置１自身のＭＦＰ＿ＩＤおよびこのジョブのＪＯＢ＿ＩＤを互いに対応付けて、電子ペーパー４の不揮発性メモリ４０ｂに書き込む。
【０１２２】
（５）  新たなジョブが読出配信ジョブである場合
図２０は条件指定画面ＷＮ５１の例を示す図、図２１は出力対象指定画面ＷＮ５２の例を示す図、図２２はプレビュー通知画面ＷＮ５３の例を示す図である。
【０１２３】
ユーザは、図９のトップ画面ＷＮ０において、「読出配信」ボタンを押す。
【０１２４】
すると、ジョブ実行条件受付部１０２は、図２０のような条件指定画面ＷＮ５１を表示させる。ここで、ユーザは、所望する条件を、対応するボタンを押すことによって指定する。さらに、用紙に印刷する前に画像を電子ペーパー４で確認したい場合は、プレビュー画面のための上述の準備を行っておく。そして、「ＯＫ」ボタンを押す。
【０１２５】
すると、ジョブ実行条件受付部１０２は、図２１のような出力対象指定画面ＷＮ５２を表示させる。出力対象指定画面ＷＮ５２の構成および機能は、図１８に示した出力対象指定画面ＷＮ４２の構成および機能と同じである。ユーザは、出力対象指定画面ＷＮ５２を操作して、配信したい画像データを選択する。そして、スタートキーを押す。
【０１２６】
条件指定画面ＷＮ５１において「あり」ボタンが選択された場合は、プレビュー表示処理部１０３は、出力対象指定画面ＷＮ５２で選択された画像データをボックスから読み出し、受け付けられた条件に従ってこの画像データを変換する。
【０１２７】
そして、プレビュー表示処理部１０３は、変換後の画像データに基づいて電子ペーパー４に画像を表示させる。
【０１２８】
また、このとき、プレビュー表示処理部１０３は、タッチパネル１０ｈ１に、図２２のようなプレビュー通知画面ＷＮ５３を表示させる。
【０１２９】
原稿コピージョブの場合と同様に、ユーザは、電子ペーパー４に表示された画像を見て、ジョブを実行してもよいか否かを決める。そして、実行してもよければスタートキーを押し、条件を指定し直したければ「戻る」ボタンを押す。
【０１３０】
スタートキーが押されると、ジョブ実行制御部１０１は、指定された条件に応じて変換した画像データが、指定された宛先へ送信されるように、ネットワークインタフェース１０ｇなどを制御する。
【０１３１】
ジョブ履歴管理部１０４は、上述の通り、このジョブの概要レコードＲＡおよびジョブ詳細レコードＲＣを生成し、それぞれ、ジョブ概要テーブルＴＢ１および配信ジョブ詳細テーブルＴＢ３に格納する。
【０１３２】
識別情報書込処理部１０６は、原稿コピージョブの場合と同様に、画像形成装置１自身のＭＦＰ＿ＩＤおよびこのジョブのＪＯＢ＿ＩＤを互いに対応付けて、電子ペーパー４の不揮発性メモリ４０ｂに書き込む。
【０１３３】
なお、上記（１）〜（５）では、ジョブ履歴管理部１０４および識別情報書込処理部１０６は、ジョブを実行したタイミングで、ジョブ履歴情報データベース１４１への概要レコードＲＡおよびジョブ詳細レコードＲＢまたはＲＣの保存、スキャンデータ等保存部１４３への画像データの保存、および電子ペーパー４へのＭＦＰ＿ＩＤおよびＪＯＢ＿ＩＤのペアの保存を行ったが、プレビュー画面の表示を行ったタイミングで行ってもよい。
【０１３４】
例えば、あるユーザが画像形成装置１Ａに読出配信ジョブを実行させようとして条件の指定などを行いプレビュー画面を電子ペーパー４に表示させたが、所望の通りの画像が得られるか否かをじっくりと検討するために、ジョブを実行するのを保留し画像形成装置１Ａのところから去る場合がある。このような場合に、画像形成装置１Ａは、保留されたジョブの概要レコードＲＡなどを自ら保存するとともに、保留されたジョブのＭＦＰ＿ＩＤおよびＪＯＢ＿ＩＤのペアを電子ペーパー４に書き込む。そうすれば、後で簡単にジョブを実行することができる。次に、この仕組みについて説明する。
【０１３５】
〔過去のジョブを、電子ペーパー４を用いて実行する場合〕
図２３は条件指定画面ＷＮ１７の例を示す図、図２４は条件指定画面ＷＮ２７の例を示す図、図２５は条件指定画面ＷＮ３７の例を示す図、図２６はジョブ概要テーブルＴＢ１の変形例を示す図、図２７は印刷ジョブ詳細テーブルＴＢ２の変形例を示す図、図２８は配信ジョブ詳細テーブルＴＢ３の変形例を示す図、図２９は条件指定画面ＷＮ１７’の例を示す図である。
【０１３６】
上述の通り、ユーザは、ジョブを実行させる前に、どのような画像が得られるかを電子ペーパー４のプレビュー画面によって確認することができる。そして、新たなジョブが実行されまたは新たなジョブのプレビュー画面が電子ペーパー４に表示されると、概要レコードＲＡとジョブ詳細レコードＲＢまたはＲＣとが、ジョブ履歴情報データベース１４１に記録される（図６、図７、および図８参照）。さらに、そのジョブのＪＯＢ＿ＩＤとそのジョブを実行した画像形成装置１のＭＦＰ＿ＩＤとのペアが電子ペーパー４に記録される。
【０１３７】
ユーザは、電子ペーパー４に表示されている画像を、他の画像形成装置１によって、出力させることができる。図１において、例えば、ユーザは、画像形成装置１Ａにジョブを実行させる前に、電子ペーパー４にプレビュー画面を表示させる。そして、同じジョブを画像形成装置１Ｂに実行させることができる。
【０１３８】
以下、画像形成装置１Ａが実行し（または、実行しようとした）ジョブの全部または一部を画像形成装置１Ｂに実行させる場合を例に、ユーザによる操作および図４の画像形成装置１の各部の処理を、説明する。
【０１３９】
ユーザは、画像形成装置１Ａによって電子ペーパー４に表示されたプレビュー画面を見て、画像の仕上がりの具合を確認する。そして、画像形成装置１Ｂのところへ行き、画像形成装置１Ｂに対して所定の操作を行った後（例えば、図９の「電子ペーパー」ボタンを押した後）、画像形成装置１Ｂの電子ペーパーインタフェース１０ｊに電子ペーパー４をセットする。
【０１４０】
すると、画像形成装置１Ｂにおいて、識別情報取得処理部１２１は、セットされた電子ペーパー４の不揮発性メモリ４０ｂ（図５参照）からＭＦＰ＿ＩＤとＪＯＢ＿ＩＤとのペアを読み出して取得する。
【０１４１】
ジョブデータ受信部１２２は、そのＭＦＰ＿ＩＤを有する画像形成装置１（本例では、画像形成装置１Ａ）に接続してそのＪＯＢ＿ＩＤの情報を要求し、受信する。
【０１４２】
画像形成装置１Ａにおいて、画像形成装置１Ｂからの要求が受け付けられると、ジョブデータ送信部１３１は、ジョブの実行に必要なデータを次のように画像形成装置１Ｂに提供する。
【０１４３】
ジョブデータ送信部１３１は、そのＪＯＢ＿ＩＤを示す概要レコードＲＡとジョブ詳細レコードＲＢまたはＲＣとを、ジョブ履歴情報データベース１４１から読み出し、要求元（本例では、画像形成装置１Ｂ）へ送信する。
【０１４４】
さらに、その概要レコードＲＡにボックス名およびファイル名が示される場合は、ジョブデータ送信部１３１は、そのボックス名のボックスからそのファイル名のファイル（画像データ）を読み出し、画像形成装置１Ｂへ送信する。または、スキャンデータ等保存部１４３にそのＪＯＢ＿ＩＤに対応付けられている画像データが保存されている場合は、それを読み出して画像形成装置１Ｂへ送信する。
【０１４５】
画像形成装置１Ｂにおいて、概要レコードＲＡなどが受信されると、ジョブ実行条件受付部１０２は、実行するジョブの条件を受け付ける処理を次のように行う。
【０１４６】
ジョブ実行条件受付部１０２は、画像形成装置１Ａから受信した概要レコードＲＡに示されるアプリケーション名（ジョブの種類）およびジョブ詳細レコードＲＢまたはＲＣに示される条件に基づいて、条件を指定し直すための画面を表示させる。
【０１４７】
例えば、概要レコードＲＡに示されるアプリケーション名が「原稿コピージョブ」である場合は、ジョブ実行条件受付部１０２は、図２３のような、ジョブ詳細レコードＲＢに示される条件を反映させた条件指定画面ＷＮ１７を表示させる。
【０１４８】
または、概要レコードＲＡに示されるアプリケーション名が「スキャン配信ジョブ」である場合は、ジョブ実行条件受付部１０２は、図２４のような、ジョブ詳細レコードＲＣに示される条件を反映させた条件指定画面ＷＮ２７を表示させる。
【０１４９】
または、概要レコードＲＡに示されるアプリケーション名が「ＰＣプリントジョブ」である場合は、ジョブ実行条件受付部１０２は、図２５のような、ジョブ詳細レコードＲＢに示される条件を反映させた条件指定画面ＷＮ３７を表示させる。
【０１５０】
概要レコードＲＡに示されるアプリケーション名が「読出コピージョブ」である場合は、ジョブ詳細レコードＲＢに示される条件を反映させた画面を表示させる。この画面は、図２３の条件指定画面ＷＮ１７と同様、印刷に関する条件を指定し直すための画面である。概要レコードＲＡに示されるアプリケーション名が「読出配信ジョブ」である場合は、ジョブ詳細レコードＲＣに示される条件を反映させた画面を表示させる。この画面は、図２４の条件指定画面ＷＮ２７と同様、画像データの配信に関する条件を指定し直すための画面である。また、読出コピージョブおよび読出配信ジョブのうちのいずれかの場合は、ジョブ実行条件受付部１０２は、ユーザからの指示に応じて、これらの画面の次に、図１８の出力対象指定画面ＷＮ４２と同様の、処理の対象の画像の画像データを指定し直すための画面を表示させる。
【０１５１】
ユーザは、これらの画面において変更の操作を行うことによって、条件を指定し直すことができる。前の条件のままでよければ、変更の操作を何も行わなければよい。そうすれば、前の条件がそのまま画像形成装置１に対して指定される。
【０１５２】
そして、ジョブ実行条件受付部１０２は、これらの画面においてユーザが指定した条件を受け付ける。電子ペーパー４によるプレビュー画面を確認することもできる。プレビュー画面の表示の処理は、前に説明した通りである。
【０１５３】
ジョブ実行制御部１０１は、条件を指定し直された場合は、新たな条件に基づいてジョブを実行させる。指定し直されなかった場合は、従前の条件つまり画像形成装置１Ａから取得した概要レコードＲＡおよびジョブ詳細レコードＲＢまたはＲＣに示される条件に基づいてジョブを実行させる。いずれの場合も、画像形成装置１Ａから取得した画像データを使用してジョブを実行する。
【０１５４】
ジョブ履歴管理部１０４は、このジョブの概要レコードＲＡおよびジョブ詳細レコードＲＢまたはＲＣを生成し、それぞれ、ジョブ概要テーブルＴＢ１および印刷ジョブ詳細テーブルＴＢ２または配信ジョブ詳細テーブルＴＢ３に格納する。
【０１５５】
識別情報書込処理部１０６は、画像形成装置１自身のＭＦＰ＿ＩＤおよびこのジョブのＪＯＢ＿ＩＤを互いに対応付けて、電子ペーパーインタフェース１０ｊを介して電子ペーパー４の不揮発性メモリ４０ｂに書き込む。
【０１５６】
以上、画像形成装置１Ａが実行したジョブを、画像形成装置１Ｂが実行する例を説明したが、画像形成装置１Ａが実行することも、可能である。この場合は、ユーザは、画像形成装置１Ａに対して電子ペーパー４をセットし上述の操作を行えばよい。画像形成装置１Ａの各部は、画像形成装置１Ｂの各部が行った上述の処理と基本的に同様の処理を、実行する。ただし、概要レコードＲＡ、ジョブ詳細レコードＲＢまたはＲＣ、および画像データは、他の画像形成装置１から受信する必要はなく、自らのジョブ履歴情報データベース１４１、ボックス情報データベース１４２、およびスキャンデータ等保存部１４３から読み出せばよい。
【０１５７】
なお、電子ペーパー４から読み出したＭＦＰ＿ＩＤおよびＪＯＢ＿ＩＤに基づいてジョブを実行する場合は、データベースへの概要レコードＲＡおよびジョブ詳細レコードＲＢまたはＲＣの記録および画像形成装置１ＢのＭＦＰ＿ＩＤおよびこのジョブのＪＯＢ＿ＩＤの電子ペーパー４への記録を行わないようにしてもよい。
【０１５８】
または、条件が指定し直された後、ジョブが実行されまたは電子ペーパー４へのプレビュー画面の表示が行われた場合にのみ、これらの記録を行うようにしてもよい。その際は、例えば次のように記録を行えばよい。
【０１５９】
ジョブ履歴管理部１０４は、条件が指定し直されてジョブが実行されまたはプレビュー画面の表示が行われると、そのジョブのＪＯＢ＿ＩＤとして、元のジョブのＪＯＢ＿ＩＤを一部分に含むＪＯＢ＿ＩＤを発行する。例えば、ＪＯＢ＿ＩＤが「Ｊ０００１」であるジョブを画像形成装置１Ａが実行した後、このジョブの条件を変更してジョブを画像形成装置１Ａが実行した場合は、図２６のように、後のジョブのＪＯＢ＿ＩＤとして「Ｊ０００１＿２」を発行し概要レコードＲＡをジョブ概要テーブルＴＢ１に格納してもよい。ジョブ詳細レコードＲＢおよびジョブ詳細レコードＲＣについても、図２７および図２８に示す通り、同様である。
【０１６０】
ところで、画像形成装置１Ａが条件通りにジョブを実行することができても、画像形成装置１Ｂが実行することができないことが、あり得る。例えば、カラーの画像の原稿コピージョブを、カラー印刷の可能な印刷装置１０ｆを有する画像形成装置１Ａおよびそうでない画像形成装置１Ｂがそれぞれに実行しようとする場合である。
【０１６１】
このような場合において、電子ペーパー４が画像形成装置１Ｂにセットされると、画像形成装置１Ｂのジョブ実行条件受付部１０２は、対応することのできない条件が含まれているメッセージを付して、条件を指定し直すための画面を表示させる。例えば、原稿コピージョブのための画面（図２３の条件指定画面ＷＮ１７）を、図２９の条件指定画面ＷＮ１７’のように表示してもよい。ユーザは、このメッセージに従って、非対応の条件のみを変更すればよい。または、ジョブの実行を、最初の画像形成装置１（本例では、画像形成装置１Ａ）に行わせればよい。
【０１６２】
図３０および図３１は画像形成装置１の全体的な処理の流れの例を説明するフローチャートである。
【０１６３】
次に、画像形成装置１における、画像の出力に関する全体的な処理の流れを、図３０および図３１のフローチャートを参照しながら説明する。なお、フローチャートに示す処理は、画像形成装置１のＣＰＵ１０ａがプログラムを実行することによって遂行される。
【０１６４】
画像形成装置１は、イベントが発生するごとに、そのイベントに応じて次のような処理を行う。
【０１６５】
ユーザがトップ画面ＷＮ０（図９参照）においていずれかのジョブの種類（アプリケーション名）を押すと、画像形成装置１は、新規のジョブをユーザが指令しようとしていると判別し（図３０の＃１１でＹｅｓ）、その種類に応じて、条件指定画面ＷＮ１１、ＷＮ２１、ＷＮ４１、およびＷＮ５１（図１０、図１２、図１７、図２０参照）のうちのいずれかを表示して、ジョブの条件の指定を受け付ける（＃１２）。そして、ユーザによってセットされた電子ペーパー４にプレビュー画面を表示する（＃１３）。
【０１６６】
または、画像形成装置１は、端末装置２からＰＣプリントジョブの画像データおよび条件情報を受け付けると（＃１１でＹｅｓ、＃１２でＹｅｓ）、その後に画像形成装置１のところに訪れたユーザによってセットされた電子ペーパー４にプレビュー画面を表示する（＃１３）。
【０１６７】
なお、画像形成装置１は、プレビュー画面を電子ペーパー４に表示するとともに、タッチパネル１０ｈ１にプレビュー通知画面ＷＮ１２、ＷＮ２２、ＷＮ３２、ＷＮ４３、またはＷＮ５３（図１１、図１３、図１５、図１９、図２２参照）を表示する。
【０１６８】
ユーザは、プレビュー画面を参照しながら、ジョブを実行してもよいか否かを判断する。気に入らない場合は「戻る」ボタンを押せばよい。すると（＃１５でＮｏ）、画像形成装置１は、条件指定画面ＷＮ１１、ＷＮ２１、ＷＮ３１（図１６参照）、ＷＮ４１、またはＷＮ５１を表示し条件の再指定を受け付ける（＃１２）。そして、指定し直された条件でプレビュー画面を電子ペーパー４に表示し直す（＃１３）。
【０１６９】
ユーザは、ジョブを実行してもよいと判断したら、スタートキーを押す。すると（＃１５でＹｅｓ）、画像形成装置１は、指定された条件に従ってジョブを実行する（＃１６）。そして、ジョブの条件等を示す概要レコードＲＡおよびジョブ詳細レコードＲＢまたはＲＣを生成し保存し、スキャンして得た画像データまたは端末装置２から送信されてきた画像データを保存する（＃１７）。さらに、画像形成装置１自身のＭＦＰ＿ＩＤおよびＪＯＢ＿ＩＤのペアを電子ペーパー４に書き込む（＃１８）。
【０１７０】
しかし、ユーザは、ジョブを実行してもよいと直ちに判断できないことも、あり得る。このような場合は、ジョブの実行を保留し、電子ペーパー４を一旦取り外し、ゆっくりと考えればよい。画像形成装置１は、ジョブの実行の保留をユーザから指示されたら、電子ペーパー４が取り外されるまでに、ステップ＃１７、＃１８の処理を実行する。
【０１７１】
または、ユーザがトップ画面ＷＮ０において「電子ペーパー」ボタンを押してから電子ペーパー４をセットした場合は（＃１１でＮｏ、＃１９でＹｅｓ）、画像形成装置１は、電子ペーパー４からＭＦＰ＿ＩＤおよびＪＯＢ＿ＩＤのペアを読み出す（＃２０）。そして、そのＭＦＰ＿ＩＤを有する他の画像形成装置１（自らである場合もある）から、そのＪＯＢ＿ＩＤのジョブの概要レコードＲＡ、ジョブ詳細レコードＲＢまたはＲＣ、および画像データを取得する（＃２１）。
【０１７２】
画像形成装置１は、取得した概要レコードＲＡなどに基づいて、そのジョブの条件を反映させた画面（図２３の条件指定画面ＷＮ１７、図２４のＷＮ２７、または図２５のＷＮ３７など）を表示し、条件の指定を受け付ける（図３１の＃２２）。ここで、ユーザは、必要に応じて条件を変更し指定し直すことができる。そのままの条件を指定することもできる。
【０１７３】
画像形成装置１は、受け付けられた条件に基づいてプレビュー画面を電子ペーパー４に表示する（＃２３）。
【０１７４】
この際に、ステップ＃１３のときと同様に、画像形成装置１は、タッチパネル１０ｈ１にプレビュー通知画面ＷＮ１２、ＷＮ２２、ＷＮ３２、ＷＮ４３、またはＷＮ５３を表示する。
【０１７５】
ユーザは、プレビュー画面を参照しながら、ジョブを実行してもよいか否かを判断する。気に入らない場合は「戻る」ボタンを押せばよい。すると（＃２５でＮｏ）、画像形成装置１は、条件指定画面ＷＮ１１、ＷＮ２１、ＷＮ３１、ＷＮ４１、またはＷＮ５１を表示し条件の再指定を受け付ける（＃２２）。そして、指定し直された条件でプレビュー画面を電子ペーパー４に表示し直す（＃２３）。
【０１７６】
ユーザは、ジョブを実行してもよいと判断したら、スタートキーを押す。プレビュー画面を電子ペーパー４に表示させることなく、スタートキーを押してもよい。すると（＃２５でＹｅｓ）、画像形成装置１は、指定された条件に従ってジョブを実行する（＃２６）。
【０１７７】
そして、画像形成装置１は、必要に応じて、ジョブの条件等を示す概要レコードＲＡおよびジョブ詳細レコードＲＢまたはＲＣを生成し保存し、ジョブで使用した画像データを保存する（＃２７）。さらに、必要に応じて、画像形成装置１自身のＭＦＰ＿ＩＤおよびＪＯＢ＿ＩＤのペアを電子ペーパー４に書き込む（＃２８）。
【０１７８】
または、他の画像形成装置１から、あるＪＯＢ＿ＩＤの情報を要求されたら（＃２９でＹｅｓ）、そのＪＯＢ＿ＩＤを示す概要レコードＲＡおよびジョブ詳細レコードＲＢまたはＲＣと、そのＪＯＢ＿ＩＤが対応付けられている画像データを、当該他の画像形成装置１へ送信する（＃３０）。
【０１７９】
なお、ストップキーが押された場合は、画像形成装置１は、ジョブの実行を中止する（＃１４でＹｅｓまたは＃２４でＹｅｓ）。
【０１８０】
本実施形態によると、ユーザは、ある画像形成装置１で出力する対象の画像を電子ペーパー４でプレビューおよび確認を行った後、従来よりも容易に他の画像形成装置１に出力させことができる。
【０１８１】
図３２は再実行ジョブ選択画面ＷＮ１８の例を示す図、図３３は再実行ジョブ選択画面ＷＮ２８の例を示す図、図３４は端末装置２と電子ペーパー４とを接続する例を示す図である。
【０１８２】
ＭＦＰ＿ＩＤおよびＪＯＢ＿ＩＤのペアを複数、電子ペーパー４に記憶させてもよい。そして、次のように、実行させるジョブのＭＦＰ＿ＩＤおよびＪＯＢ＿ＩＤをユーザが選択できるようにしてもよい。
【０１８３】
識別情報取得処理部１２１は、各ジョブのＭＦＰ＿ＩＤおよびＪＯＢ＿ＩＤのペアを電子ペーパー４から取得する。
【０１８４】
すると、ジョブ実行条件受付部１０２は、それぞれのペアの概要レコードＲＡおよびジョブ詳細レコードＲＢまたはＲＣなどを、他の画像形成装置１から取得する。そして、実行するジョブを選択するための画面をタッチパネル１０ｈ１に表示させる。
【０１８５】
例えば、種類が原稿コピージョブである２つのジョブのペアを読み出した場合は、図３２のような再実行ジョブ選択画面ＷＮ１８を表示する。または、種類がスキャン配信ジョブである２つのジョブのペアを読み出した場合は、図３３のような再実行ジョブ選択画面ＷＮ２８を表示する。
【０１８６】
そして、ジョブ実行条件受付部１０２は、図２３〜図２９に示したような画面を表示し、条件の指定を受け付ける。
【０１８７】
上述の実施形態では、電子ペーパー４を画像形成装置１によって取り扱う場合を例に説明したが、例えば次のように、端末装置２によって取り扱うことができるようにしてもよい。
【０１８８】
端末装置２および電子ペーパー４が共通のインタフェースを備えている場合は、このインタフェースを介して両者を接続する。一方、共通のインタフェースを備えていない場合は、図３４に示すように、電子ペーパーが有するインタフェースと端末装置２の有するインタフェース（例えば、ＵＳＢ）との間に、データの変換用の装置２４を設け、端末装置２と電子ペーパー４との間の通信を確立する。
【０１８９】
ユーザは、以前に行わせたＰＣプリントジョブをもう一度実行させる場合または実行させようとしたＰＣプリントジョブを実行させる場合に、端末装置２に電子ペーパー４をセットする。すると、端末装置２は、電子ペーパー４からＭＦＰ＿ＩＤおよびＪＯＢ＿ＩＤのペアを読み取ると、ジョブデータ受信部１２２と同様の処理を行う。つまり、読み取ったＭＦＰ＿ＩＤを有する画像形成装置１から、読み取ったＪＯＢ＿ＩＤのジョブの概要レコードＲＡ、ジョブ詳細レコードＲＢまたはＲＣ、および画像データを取得する。そして、概要レコードＲＡおよびジョブ詳細レコードＲＢまたはＲＣに示される条件を反映させた状態で、条件指定画面ＷＮ３０（図１４参照）を表示する。ここで、ユーザは、適宜、条件を変更して、ジョブの実行を指令することができる。
【０１９０】
そして、端末装置２は、前に（３）で説明した処理と同様に、ただし、条件が変更された場合は変更後の条件を用いて、ＰＣプリントジョブを実行させるための処理を行う。この処理を完了させる前に、電子ペーパー４へのＰＣプリントジョブのプレビュー画面の表示を、端末装置２が行ってもよい。また、ユーザが画像形成装置１を選び直すようにしてもよい。そして、ユーザが新たに選んだ画像形成装置１にＰＣプリントジョブを実行させてもよい。
【０１９１】
本実施形態では、ジョブ履歴情報データベース１４１およびスキャンデータ等保存部１４３を画像形成装置１ごとに用意し、ジョブを実行した画像形成装置１がそのジョブの実績の情報および画像データを管理したが、ネットワークシステムＳＹにサーバを設け、このサーバによって一元的に管理してもよい。または、ジョブのデータを電子ペーパー４に記憶させておき、画像形成装置１は、ジョブを実行する際に電子ペーパー４からジョブのデータを読み出して使用してもよい。
【０１９２】
ジョブの条件として、図７および図８に示したもの以外が含まれていても、構わない。例えば、印刷する部数、ヘッダおよびフッタへの語句（日付、ページ番号、ファイリングナンバなど）の挿入、「至急」または「社外秘」などのスタンプまたはウォータマークの合成、小冊子仕上げ、綴じ代の位置などの条件が含まれている場合も、本発明を適用することができる。
【０１９３】
また、ジョブの種類も、上記の５種類に限られない。例えば、ファックスによる画像の送信のジョブにも、本発明を適用することができる。
【０１９４】
その他、ネットワークシステムＳＹ、画像形成装置１の全体または各部の構成、処理内容、処理順序、データベースの構成、テーブルの構成などは、本発明の趣旨に沿って適宜変更することができる。
【符号の説明】
【０１９５】
ＳＹ  ネットワークシステム（画像出力システム）
１Ａ  画像形成装置（第一の画像出力装置、画像出力装置）
１Ｂ  画像形成装置（第二の画像出力装置、画像出力装置）
１０ｄ  ハードディスク（ストレージ）
１０ｅ  スキャナ（画像読取手段）
１０ｆ  印刷装置（第一の印刷手段、第二の印刷手段）
１０ｇ  ネットワークインタフェース（第一の送信手段、第二の送信手段、受信手段）
１０ｈ１  タッチパネル（表示手段）
１０ｈ２  キー群（入力手段）
１０１  ジョブ実行制御部（画像出力手段）
１０３  プレビュー表示処理部（表示処理手段）
１０４  ジョブ履歴管理部（条件記憶処理手段）
１０６  識別情報書込処理部（ジョブ識別子記憶処理手段）
１２１  識別情報取得処理部（ジョブ識別子読出手段）
１２２  ジョブデータ受信部（条件取得手段）
１４１  ジョブ履歴情報データベース（条件記憶手段）
１４２  ボックス情報データベース（データ保存手段）
２  端末装置
４  電子ペーパー
４０ｂ  不揮発性メモリ
【図１】
2011066855.tif 000003
【図２】
2011066855.tif 000004
【図３】
2011066855.tif 000005
【図４】
2011066855.tif 000006
【図５】
2011066855.tif 000007
【図６】
2011066855.tif 000008
【図７】
2011066855.tif 000009
【図８】
2011066855.tif 000010
【図９】
2011066855.tif 000011
【図１０】
2011066855.tif 000012
【図１１】
2011066855.tif 000013
【図１２】
2011066855.tif 000014
【図１３】
2011066855.tif 000015
【図１４】
2011066855.tif 000016
【図１５】
2011066855.tif 000017
【図１６】
2011066855.tif 000018
【図１７】
2011066855.tif 000019
【図１８】
2011066855.tif 000020
【図１９】
2011066855.tif 000021
【図２０】
2011066855.tif 000022
【図２１】
2011066855.tif 000023
【図２２】
2011066855.tif 000024
【図２３】
2011066855.tif 000025
【図２４】
2011066855.tif 000026
【図２５】
2011066855.tif 000027
【図２６】
2011066855.tif 000028
【図２７】
2011066855.tif 000029
【図２８】
2011066855.tif 000030
【図２９】
2011066855.tif 000031
【図３０】
2011066855.tif 000032
【図３１】
2011066855.tif 000033
【図３２】
2011066855.tif 000034
【図３３】
2011066855.tif 000035
【図３４】
2011066855.tif 000036
【手続補正書】
【提出日】平成22年8月11日(2010.8.11)
【手続補正１】
【補正対象書類名】明細書
【補正対象項目名】０００８
【補正方法】変更
【補正の内容】
【０００８】
【特許文献１】特開２００５−２３８７０９号公報
【特許文献２】特開２００７−１４４６７４号公報
【特許文献３】特開２００６−４１８０１号公報
【特許文献４】特開２００７−７９８０９号公報
【特許文献５】特開２００５−１７５９４２号公報